(57)【特許請求の範囲】
【請求項１】
仮設足場に所定間隔をおいて立てられ複数の桟で連結せられた2本の支柱の所定の高さ位置に建物側が解放された平面視コ形の連結部材がこれに設けられたクランプにより取付けられ、この連結部材にシート取付け枠の管状縦部材の下端部嵌め入れ用短筒が２つ並んで建物側方向に傾斜自在に取付けられ、これら短筒の対向する連結部材側の外面に平面視コ形突出部が設けられ、他方両端が若干上向きに曲げられた枠下横部材の外側横に上下水平部に貫通孔があけられた外向きコ形部材が固着せられ、短筒外面の平面視コ形突出部に枠下横部材の外向きコ形部材が嵌め被せられ、くさびが差込まれることにより、枠下横部材が連結部材に連結せられ、両短筒と両枠縦部材の側壁下部に渦巻きバネで付勢せられたロックピンを有する短筒と縦部材の連結部材が取り付けられると共に短筒の側壁と枠縦部材のロックピン対応箇所にピン孔があけられており、両孔にロックピンが挿入せられることにより、両短筒と両枠縦部材が連結せられ、他方、シート取付け枠の枠上横部材の両端に上端に上部紐取付け用逆U形部材を有する有底短筒が底側を上にして固着せられており、両有底短筒の対向面の下部に渦巻きバネで付勢せられたロックピンを有する枠縦部材と枠上横部材の連結部材が取付けられると共に有底短筒の側壁と枠縦部材の側壁のロックピン対応箇所にピン孔があけられており、両孔にロックピンが挿入せられることにより、左右の枠縦部材の上部が枠上横部材に連結せられており、枠上下横部材および左右縦部材の建物側面にそれぞれ所要数のメッシュシート掛止めピンが設けられており、これら掛止めピン全体をメッシュシートの周囲に多数取付けられたはとめに通すことにより、メッシュシートがシート取付け枠に張止められ、左右縦部材の真中より上方位置に支持部材上端部取付片が垂下状に固定せられ、両支持部材上端部取付片に支柱側下端部または長さの中程に下部紐取付け用逆U形部材を有する支持部材の上端部が揺動自在に取付けられ、左右縦部材の連結部材取付け位置の下方位置において2本の支柱に支持部材下端部保持部材が取付けられており、両上部紐取付け用逆U形部材に取り付けられた２本の紐が一番上の桟に上から引っ掛けられて下におろされ、両下部紐取付け用逆U形部材に取付けられている仮設用朝顔装置。
【請求項２】
シート取付け枠に張止められたメッシュシートがシート取付け枠下端より若干はみ出す大きさに形成せられ、このメッシュシートはみ出し部が建物側に折り曲げられている請求項１記載の仮設用朝顔装置。
【請求項３】
支持部材下端部保持部材が、縦長扁平角筒の支持部材側の壁にほぼその全長にわたって長孔があけられるとともにその上部の支柱側縁に欠円形切欠部が形成せられ、下端に支柱の反対側に折れ曲がった斜め下向き孔が連続してあけられており、支持部材下端部に欠円形切欠部から長孔に嵌め入れられる長孔の幅より若干大きい径で縦長扁平角筒の壁厚より若干長い軸により固定せられている円盤と支持部材下端部保持部材の下端部とにより長孔の両縁が緩く挟まれるようになされている請求項１記載の仮設用朝顔装置。
【発明の詳細な説明】
【技術分野】
【０００１】
この発明は、仮設用朝顔装置に関する。
【背景技術】
【０００２】
建築現場において作業用部材や工具などの落下物を受け止めるための仮設用
朝顔装置は、下記特許文献1および２に開示されている。
【先行技術文献】
【特許文献】
【０００３】
【特許文献１】実用新案登録第３１９４１３号公報
【特許文献２】特開２０１５−４８６７０号公報
【発明の概要】
【発明が解決しようとする課題】
【０００４】
上記特許文献１の朝顔装置では、縦枠と横枠とをねじで固定する構造になっているので、現場での朝顔の取付け取外しの作業時ねじを落とすおそれがある。また、縦枠と横枠をばらさないとシートが外れない構造になっているので、台風接近時等に現地でシートのみを短時間で簡単に外すことができない。
【０００５】
上記特許文献２の朝顔装置では、斜め部材の下端部でピンを抜き差ししてロックの解除を行う構造になっており、折畳み作業場所とロック解除作業場所が離れているため、一人の作業では時間がかかる。また、構造も複雑であるため、設置位置を随意とすることは難しいという問題があった。
【０００６】
本発明の目的は、朝顔パネルの折畳みと張出し作業を一人で簡単に行えるようにし、さらにシートを現地で簡単に外せるようにした仮設用朝顔装置を提供することを目的とする。
【課題を解決するための手段】
【０００７】
請求項１の発明による仮設用朝顔装置は、仮設足場に所定間隔をおいて立てられ複数の桟で連結せられた2本の支柱の所定の高さ位置に建物側が解放された平面視コ形の連結部材がこれに設けられたクランプにより取付けられ、この連結部材にシート取付け枠の管状縦部材の下端部嵌め入れ用短筒が２つ並んで建物側方向に傾斜自在に取付けられ、これら短筒の対向する連結部材側の外面に平面視コ形突出部が設けられ、他方両端が若干上向きに曲げられた枠下横部材の外側横に上下水平部に貫通孔があけられた外向きコ形部材が固着せられ、短筒外面の平面視コ形突出部に枠下横部材の外向きコ形部材が嵌め被せられ、くさびが差込まれることにより、枠下横部材が連結部材に連結せられ、両短筒と両枠縦部材の側壁下部に渦巻きバネで付勢せられたロックピンを有する短筒と縦部材の連結部材が取り付けられると共に短筒の側壁と枠縦部材のロックピン対応箇所にピン孔があけられており、両孔にロックピンが挿入せられることにより、両短筒と両枠縦部材が連結せられ、他方、シート取付け枠の枠上横部材の両端に上端に上部紐取付け用逆U形部材を有する有底短筒が底側を上にして固着せられており、両有底短筒の対向面の下部に渦巻きバネで付勢せられたロックピンを有する枠縦部材と枠上横部材の連結部材が取付けられると共に有底短筒の側壁と枠縦部材の側壁のロックピン対応箇所にピン孔があけられており、両孔にロックピンが挿入せられることにより、左右の枠縦部材の上部が枠上横部材に連結せられており、枠上下横部材および左右縦部材の建物側面にそれぞれ所要数のメッシュシート掛止めピンが設けられており、これら掛止めピン全体をメッシュシートの周囲に多数取付けられたはとめに通すことにより、メッシュシートがシート取付け枠に張止められ、左右縦部材の真中より上方位置に支持部材上端部取付片が垂下状に固定せられ、両支持部材上端部取付片に支柱側下端部または長さの中程に下部紐取付け用逆U形部材を有する支持部材の上端部が揺動自在に取付けられ、左右縦部材の連結部材取付け位置の下方位置において2本の支柱に支持部材下端部保持部材が取付けられており、両上部紐取付け用逆U形部材に取り付けられた２本の紐が一番上の桟に上から引っ掛けられて下におろされ、両下部紐取付け用逆U形部材に取付けられているものである。  
【０００８】
請求項2の発明は、請求項１記載の仮設用朝顔装置において、シート取付け枠に張止められたメッシュシートがシート取付け枠下端より若干はみ出す大きさに形成せられ、このメッシュシートはみ出し部が建物側に折り曲げられているものである。
【０００９】
請求項３の発明は、請求項１記載の仮設用朝顔装置において、支持部材下端部保持部材が、縦長扁平角筒の支持部材側の壁にほぼその全長にわたって長孔があけられるとともにその上部の支柱側縁に欠円形切欠部が形成せられ、下端に支柱の反対側に折れ曲がった斜め下向き孔が連続してあけられており、支持部材下端部に欠円形切欠部から長孔に嵌め入れられる長孔の幅より若干大きい径で縦長扁平角筒の壁厚より若干長い軸により固定せられている円盤と支持部材下端部保持部材の下端部とにより長孔の両縁が緩く挟まれるようになされているものである。
【発明の効果】
【００１０】
請求項１の発明による仮設用朝顔装置は、仮設足場に所定間隔をおいて立てられ複数の桟で連結せられた2本の支柱の所定の高さ位置に建物側が解放された平面視コ形の連結部材がこれに設けられたクランプにより取付けられ、この連結部材にシート取付け枠の管状縦部材の下端部嵌め入れ用短筒が２つ並んで建物側方向に傾斜自在に取付けられ、これら短筒の対向する連結部材側の外面に平面視コ形突出部が設けられ、他方両端が若干上向きに曲げられた枠下横部材の外側横に上下水平部に貫通孔があけられた外向きコ形部材が固着せられ、短筒外面の平面視コ形突出部に枠下横部材の外向きコ形部材が嵌め被せられ、くさびが差込まれることにより、枠下横部材が連結部材に連結せられ、両短筒と両枠縦部材の側壁下部に渦巻きバネで付勢せられたロックピンを有する短筒と縦部材の連結部材が取り付けられると共に短筒の側壁と枠縦部材のロックピン対応箇所にピン孔があけられており、両孔にロックピンが挿入せられることにより、両短筒と両枠縦部材が連結せられ、他方、シート取付け枠の枠上横部材の両端に上端に上部紐取付け用逆U形部材を有する有底短筒が底側を上にして固着せられており、両有底短筒の対向面の下部に渦巻きバネで付勢せられたロックピンを有する枠縦部材と枠上横部材の連結部材が取付けられると共に有底短筒の側壁と枠縦部材の側壁のロックピン対応箇所にピン孔があけられており、両孔にロックピンが挿入せられることにより、左右の枠縦部材の上部が枠上横部材に連結せられており、枠形成にねじを使用しないから、枠組立て時にねじを落とすなどというおそれはない。
【００１１】
また、枠上下横部材および左右縦部材の建物反対側面にそれぞれ所要数のメッシュシート掛止めピンが設けられており、これら掛止めピンをメッシュシートの周囲に多数取付けられたはとめに通すことにより、メッシュシートがシート取付け枠に張止められているから、必要とあれば、現地でメッシュシートを簡単に枠から外すことができる。
【００１２】
さらに、左右縦部材の真中より上方位置に支持部材上端部取付片が垂下状に固定せられ、両支持部材上端部取付片に支柱側下端部に下部紐取付け用逆U形部材を有する支持部材の上端部が揺動自在に取付けられ、左右縦部材の連結部材取付け位置の下方位置において2本の支柱に支持部材下端部保持部材が取付けられており、両上部紐取付け用逆U形部材に取り付けられた２本の紐が一番上の桟に上から引っ掛けられて下におろされて両下部紐取付け用逆U形部材に取付けられているものであるから、一人で紐をたぐり寄せてメッシュシートの張られた枠を垂直に保持することができるので、強風や積雪対策のために朝顔を閉じるのに便利である。  
【００１３】
請求項2の発明は、請求項１記載の仮設用朝顔装置において、シート取付け枠に張止められたメッシュシートがシート取付け枠下端より若干はみ出す大きさに形成せられ、このメッシュシートはみ出し部が建物側に折り曲げられているものであるから、足場の上方からの落下物が、シート取付け枠の枠より若干建物よりに落下してもこれを受止めることができる。
【００１４】
請求項3の発明は、請求項１記載の仮設用朝顔装置において、支持部材下端部保持部材が、縦長扁平角筒の支持部材側の壁にほぼその全長にわたって長孔があけられるとともにその上部の支柱側縁に欠円形切欠部が形成せられ、下端に支柱の反対側に折れ曲がった支持部材に対してほぼ直角方向の斜め下向き孔が連続してあけられており、支持部材下端部に欠円形切欠部から長孔に嵌め入れられる長孔の幅より若干大きい径で縦長扁平角筒の壁厚より若干長い軸により固定せられている円盤と支持部材下端部保持部材の下端部とにより長孔の縁が緩く挟まれるようになされているものであるから、シート取付け枠を上からの落下物を受け止めうるように斜めに開いてその支持部材の下端部をその保持部材に簡単かつ確実に保持することができる。さらに下から吹き上げる風に対しても支持部材の長さ方向に対してほぼ直角方向の斜め下向き孔により、支持部材下端部をその保持部材に確実に保持することができる。
【図面の簡単な説明】
【００１５】
【図１】本発明のメッシュシートの一部を切り欠いた仮設用朝顔装置の斜視図である。
【図２】本発明の仮設用朝顔装置の側面図である。
【図３】枠下横部材が、支柱に取付けられた連結部材に連結される直前の状態を示す部分拡大斜視図である。
【図４】枠下横部材が、支柱に取付けられた連結部材に連結され、連結部材の短筒に枠縦部材の下端部が嵌め入れられる直前の状態を示す部分拡大斜視図である。
【図５】枠下横部材が、支柱に取付けられた連結部材に連結され、連結部材の短筒に枠縦部材の下端部が嵌め入れられた状態を示す部分拡大断面図である。
【図６】支柱に取付けられた支持部材下端部保持部材の拡大正面図である。
【図７】図６のVII―VII線の断面図である。
【図８】上縦部材と枠上横部材とが連結されている状態を示す部分拡大断面図である。
【図９】図８のIX―IX線の断面図である。
【図１０】図８のＸ―Ｘ線の断面図である。
【発明を実施するための最良の形態】
【００１６】
本発明を実施するための最良の形態を、以下図面を参照して説明する。
【００１７】
図１ないし図１０に示す仮設用朝顔装置は、仮設足場に所定間隔をおいて立てられ複数の桟（１）で連結せられた2本の支柱（２）の所定の高さ位置に建物側が解放された平面視コ形の連結部材（３）がこれに設けられたクランプ（４）により取付けられ、この連結部材（３）にシート取付け枠（５）の角管状縦部材（６）の下端部嵌め入れ用角短筒（７）が２つ並んで建物側方向に傾斜自在に取付けられ、これら上記出願対向する連結部材（３）側の外面に平面視コ形突出部（８）が設けられ、他方両端が若干上向きに曲げられた枠下横部材（９）の外側横に上下水平部に貫通孔があけられた外向きコ形部材（１０）が固着せられ、角短筒（７）外面の平面視コ形突出部（８）に枠下横部材（９）の外向きコ形部材（１０）が嵌め被せられ、くさび（１１）が差込まれることにより、枠下横部材（９）が連結部材（３）に連結せられ、両短筒（７）と両枠縦部材（6）の側壁下部に渦巻きバネ（46）で付勢せられたロックピン（47）を有する短筒（７）と縦部材（6）の連結部材（48）が取り付けられると共に短筒（７）の側壁と枠縦部材（6）のロックピン（4７）対応箇所にピン孔（49）（50）があけられており、両孔（49）（50）にロックピン（4７）が挿入せられることにより、両短筒（７）と両枠縦部材（6）が連結せられ、他方、シート取付け枠（5）の枠上横部材（14）の両端に上端に上部紐取付け用逆U形部材（15）を有する有底短筒（16）が底側を上にして固着せられており、両有底短筒（16）の対向面の下部に渦巻きバネ（1７）で付勢せられたロックピン（18）を有する枠縦部材（6）と枠上横部材（14）の連結部材（19）が取付けられると共に短筒（16）の側壁（20）と 枠縦部材（６）の側壁（２１）のロックピン対応箇所にピン孔（49）（50）があけられており、両孔（49）（50）にロックピン（4７）が挿入せられることにより、左右の枠縦部材（７）の上部が枠上横部材（７）に連結せられている。連結部材（１９）は、有底角短筒（１６）に固着せられかつバネ（１７）を受ける垂直壁（２４）を有するコ形台座（２５）と、台座（２５）の垂直壁（２４）を貫通せしめられたバネ受け（２６）付きロックピン（１８）の頭が固着せられている平坦部（２７）と、これから台座（２５）の両外側に折曲げられた逆L形部（２８）と、平坦部（２７）の残りの両辺から逆L形部（２８）の反対側に折曲げられたつまみ（２９）とよりなるものである。ロックピン（１８）を有底角短筒（１６）の側壁（２０）と枠縦部材（１６）の側壁（２１）の各ピン孔（２２）（２３）から抜き、枠縦部材（６）と枠上横部材（１４）の端の有底角短筒（１６）結合を解き、枠縦部材（６）と枠上横部材（１４）を分離可能とする。この状態を保つには、連結部材（１４）の逆L形部（２８）を持ってロックピン（１８）をピン孔（２２）（２３）から抜き、つまみ（２９）を持って逆L形部（２８）を90度回した後、逆L形部（２８）の垂直部（２８a）を台座（２５）の上に置く。すると、ロックピン（１８）のバネ受け（２７）にうけられているバネ（１７）の力が台座（２５）に置かれた逆L形部（２８）に働き、ロックピン（１８）がピン孔（２２）（２３）から抜かれた状態が保たれる。
【００１８】
シート取付け枠（５）の枠下横部材（９）および角短筒（７）の建物側面には、所定間隔おきに、シート止め部材（３０）が取付けられている。角短筒（７）の建物側面にもシート止め部材（３０）が取付けられている。シート止め部材（３０）は、シート取付け枠（５）に固定されたこれと直角をなしかつ上端に二股部（３１）を有する固定部（３２）と固定部（３２）の二股部（３１）に長さ方向の長孔（３３）を介してピン（３４）で揺動自在に止められたシート押さえ片（３５）とよりなる。そして、シート取付け枠（５）の縦部材（６）および上横部材（１４）には、所定間隔おきに、逆L形のシート止め部材（５１）が取付けられている。枠下横部材（９）に備わったシート止め部材（３０）は、そのシート押さえ片（３５）をその固定部（３２）と同じ向きになるように真っ直ぐにし、これらにシート（３６）の全周に所定間隔おきに取付けられたはとめに通した後シート押さえ片（３５）を直角に折り曲げてシート（３６）をシート取付け枠（５）に張止める。逆L形のシート止め部材（５１）の場合は、単にはとめに通すだけである。シート（３６）としては、軽量なメッシュシートが用いられている。
【００１９】
シート（３６）は、シート取付け枠（５）の下端より若干はみ出す大きさに形成せられ、そのはみ出し部（３７）が建物側に折り曲げられており、支柱（２）より建物側における上からの落下物を受止め得るようになっている。
【００２０】
左右縦部材（６）の真中より上方位置に支持部材上端部取付片（３８）が垂下状に固定せられ、両支持部材上端部取付片（３８）に支柱側下端部に下部紐取付け用逆U形部材（３９）を有する支持部材（４０）の上端部が揺動自在に取付けられ、左右縦部材（６）の連結部材取付け位置の下方位置において2本の支柱（２）に支持部材下端部保持部材（４１）が取付けられており、両上部紐取付け用逆U形部材（１５）に取り付けられた２本の紐（４２）が一番上の桟（１）に上から引っ掛けられて下におろされ、両下部紐取付け用逆U形部材（３９）に取付けられている。  
【００２１】
２本の支柱（２）の所定の高さ位置に支柱（２）と直角をなして建物方向に突出する３つの突出状横管（４３）が支柱（２）に固着せられ、両横管（４３）に作業棚（４４）がその両端にも設けられたフック（４５）により上から引掛けられることにより渡止められている。
【００２２】
支持部材（４０）の長さは、シート（３６）の取付けられたシート取付け枠（５）が、上方から落ちてくる不定落下物を受止めうるように、支柱（２）から斜め上に張出す形態となるような長さとなされている。そして、強風や積雪前にシート取付け枠（５）を垂直にしたい場合は、２本の紐（４２）をシート取付け枠（５）が垂直になるまでたぐり寄せ、余った部分を左右の支柱（２）に巻止めておけばよい。
【符号の説明】
【００２３】
（１）  桟
（２）  支柱
（３）  連結部材
（４）  クランプ
（５）  シート取り付け枠
（６）  角管状縦部材
（７）  角短筒
（８）  平面視コ形突出部
（９）  枠下横部材
（１０）外向きコ形部材
（１１）くさび
（１４）枠上横材
（１５）上部紐取付け用逆U形部材
（１６）有底短筒
（１７）渦巻きバネ
（１８）ロックピン
（１９）枠縦部材と枠上横部材の連結部材
（２０）短筒の側壁
（２１）枠縦部材の側壁
（２２）ピン孔
（２３）ピン孔
（２４）台座の垂直壁
（２５）コ形台座
（２６）バネ受け
（２７）平坦部
（２８）逆L形部
（２８a）逆L形部の垂直部
（２９）つまみ
（３０）シート止め部材
（３１）二股部
（３２）固定部
（３３）長孔
（３４）ピン
（３５）シート押さえ片
（３６）シート
（３７）シートのはみ出し部
（３８）支持部材上端部取付片
（３９）下部紐取付け用逆U形部材
（４０）支持部材
（４１）支持部材下端部保持部材
（４２）紐
（４３）突出状横管
（４４）作業棚
（４５）フック
（４６）渦巻きバネ
（４７）ロックピン
（４８）短筒と枠縦部材の連結部材
（４９）ピン孔
（５０）ピン孔
（５１）逆L形のシート止め部材
【要約】
【課題】朝顔パネルの折畳みと張出し作業を一人で簡単に行えるようにし、さらにシートを現地で簡単に外せるようにした仮設用朝顔装置を提供する。
【解決手段】  仮設用朝顔装置は、2本の支柱の所定の高さに取付けられた連結部材に短筒が２つ並んで傾斜自在に取付けられ、両連結部材に枠下横部材が連結せられ、左右の連結部材の各短筒に左右の枠縦部材の下端部が嵌め入れられ、他方、左右の枠縦部材の上部が枠上横部材に連結せられ、枠の建物側面に所要数のメッシュシート掛止めピンが設けられ、これらによりメッシュシートがシート取付け枠に張止められ、左右縦部材の真中より上方位置に固定せられた両支持部材上端部取付片に支持部材の上端部が揺動自在に取付けられ、左右縦部材の連結部材取付け位置の下方に支持部材下端部保持部材が取付けられており、両上部紐取付け用逆U形部材に取り付けられた２本の紐が一番上の桟に上から引っ掛けられて下におろされ、支柱側下端部にある両下部紐取付け用逆U形部材に取付けられているものである。  
【選択図】    図１【図１】
0005999539.tif 000002
【図２】
0005999539.tif 000003
【図３】
0005999539.tif 000004
【図４】
0005999539.tif 000005
【図５】
0005999539.tif 000006
【図６】
0005999539.tif 000007
【図７】
0005999539.tif 000008
【図８】
0005999539.tif 000009
【図９】
0005999539.tif 000010
【図１０】
0005999539.tif 000011